(57)【要約】　　　（修正有）【課題】スイートポットを拡大させる複合材質のゴルフクラブヘッドを提供する。【解決手段】打撃面板１０の一端にホーゼル１１が設けられ、上部に周縁部１２が設けられ、クラブ体２０は複合材からなると共に、打撃面板１０の裏側に接着シート３４によって内部プレート２１が接着され、後端に接着シート３４によってカバー２２が設けられ、底部に気孔座３１を有する金属の底部プレート３０が設けられ、気孔座３１に固定孔３２が形成され、底部プレート３０は接着シート３４によってクラブ体２０の底部に接着され、その固定孔３２から充気膜４０をクラブ体２０の内部に置き込ませると共に、エアバック４０の内部に空気を注入した後、熱プレスモールド５０に設置することにより、接着シート３４によって打撃面板１０とクラブ体２０と底部プレート３０とを強固に接着し、固定孔３２に異なるウェイト部材３３が設けられることにより、ゴルフクラブヘッドの重量を調整することを特徴とする。【選択図】　図５
0003099571.tif 000002
【実用新案登録請求の範囲】
【請求項１】
打撃面板（１０）と、クラブ体（２０）と、底部プレート（３０）と、ウェイト部材（３３）とを備えるゴルフクラブヘッドであって、
打撃面板（１０）の一端にホーゼル（１１）が設けられ、上部に後方へ向かって伸びる周縁部（１２）が設けられ、
クラブ体（２０）は複合材からなると共に、打撃面板（１０）の裏側に接着シート（３４）によって内部プレート（２１）が接着され、後端に接着シート（３４）によってカバー（２２）が設けられることにより形成され、
クラブ体（２０）の底部に気孔座（３１）を有する金属の底部プレート（３０）が設けられ、該気孔座（３１）に固定孔（３２）が形成され、該底部プレート（３０）は接着シート（３４）によってクラブ体（２０）の底部に接着され、その固定孔（３２）から充気膜（４０）をクラブ体（２０）の内部に置き込ませると共に、エアバック（４０）の内部に空気を注入した後、熱プレスモールド（５０）に設置することにより、接着シート（３４）によって打撃面板（１０）とクラブ体（２０）と底部プレート（３０）とを強固に接着し、
前記底部プレート（３０）の固定孔（３２）に異なるウェイト部材（３３）が設けられることにより、ゴルフクラブヘッドの重量を調整することを特徴とするゴルフクラブヘッド。
【請求項２】
打撃面板（１０）、ホーゼル（１１）及び周縁部（１２）は金属により一体に成形することを特徴とする請求項１に記載のゴルフクラブヘッド。
【請求項３】
チタン/チタン繊維/カーボン繊維からサンドイッチ構造の打撃面板（１０）を製造した後、その打撃面板（１０）がホーゼル（１１）と周縁部（１２）を有するクラブ体（２０）に嵌入されることを特徴とする請求項１に記載のゴルフクラブヘッド。
【考案の詳細な説明】
【技術分野】
【０００１】
本考案は、特に複合材からなるクラブ体の内部にウェイト部材が設けられることによりスイートポットを拡大させるゴルフクラブヘッドに関するものである。
【背景技術】
【０００２】
従来のゴルフクラブヘッド及びその製造方法は以下に示す二種類であり、一つは金属材質により一体に成形され又は複数枚の金属部材から溶接によって組立てることであり、他のは複合材からプレスによって夫々クラブ体、打撃面板と底部プレートが製造された後、全部の部材を組立てることである。
【考案の開示】
【考案が解決しようとする課題】
【０００３】
しかしながら、上記の二つ方法によれば、ゴルフクラブヘッドはウェイトの調整が困難であり、体積がより小さい及び溶接時間がかかるという問題があった。
【０００４】
そこで、案出されたのが本考案であって、複合材からなるクラブ体の内部にウェイト部材が設けられることによりスイートポットを拡大させるゴルフクラブヘッドを提供することを目的としている。
【課題を解決するための手段】
【０００５】
本願の請求項１の考案は、打撃面板（１０）と、クラブ体（２０）と、底部プレート（３０）と、ウェイト部材（３３）とを備えるゴルフクラブヘッドであって、打撃面板（１０）の一端にホーゼル（１１）が設けられ、上部に後方へ向かって伸びる周縁部（１２）が設けられ、クラブ体（２０）は複合材からなると共に、打撃面板（１０）の裏側に接着シート（３４）によって内部プレート（２１）が接着され、後端に接着シート（３４）によってカバー（２２）が設けられることにより形成され、クラブ体（２０）の底部に気孔座（３１）を有する金属の底部プレート（３０）が設けられ、該気孔座（３１）に固定孔（３２）が形成され、該底部プレート（３０）は接着シート（３４）によってクラブ体（２０）の底部に接着され、その固定孔（３２）から充気膜（４０）をクラブ体（２０）の内部に置き込ませると共に、エアバック（４０）の内部に空気を注入した後、熱プレスモールド（５０）に設置することにより、接着シート（３４）によって打撃面板（１０）とクラブ体（２０）と底部プレート（３０）とを強固に接着し、前記底部プレート（３０）の固定孔（３２）に異なるウェイト部材（３３）が設けられることにより、ゴルフクラブヘッドの重量を調整することを特徴とするゴルフクラブヘッド及び、
本願の請求項２の考案は、打撃面板（１０）、ホーゼル（１１）及び周縁部（１２）は金属により一体に成形することを特徴とする請求項１に記載のゴルフクラブヘッド及び、本願の請求項３の考案は、チタン/チタン繊維/カーボン繊維からサンドイッチ構造の打撃面板（１０）を製造した後、その打撃面板（１０）がホーゼル（１１）と周縁部（１２）を有するクラブ体（２０）に嵌入されることを特徴とする請求項１に記載のゴルフクラブヘッド、を提供する。
【考案の効果】
【０００６】
本考案は上記の課題を解決するため、複合材によって打撃面板、クラブ体、クラブ及び底部プレートが製造されると共に、打撃面板の裏側に複合材の内部プレートが設けられるより、スイートポットを拡大すると共に、ゴルフクラブヘッドのウェイトを調整しやすいことを達成できる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るゴルフクラブヘッドの内部構造を示す平面図であり、図２は本考案に係るゴルフクラブヘッドの分解断面図であり、図３は本考案に係るゴルフクラブヘッドの組立状態を示す断面図であり、図４は本考案に係るゴルフクラブヘッドの他の組立状態を示す断面図であり、図５は本考案に係るゴルフクラブヘッドの断面図である。
【０００９】
図１乃至図５に示すように、本考案に係るゴルフクラブヘッドは打撃面板（１０）と、クラブ体（２０）と、底部プレート（３０）と、ウェイト部材（３３）とを備え、打撃面板（１０）の一端にシャフト（符号なし）を設置するためのホーゼル（１１）が設けられ、上部に後方へ向かって伸びるように周縁部（１２）が設けられ、その打撃面板（１０）、ホーゼル（１１）及び周縁部（１２）は金属により一体に成形しても良く、或いはチタン/チタン繊維/カーボン繊維からサンドイッチ構造の打撃面板（１０）を製造した後、その打撃面板（１０）がホーゼル（１１）と周縁部（１２）を有するクラブ体（２０）に嵌入されても良い。
【００１０】
前記前側に打撃面板（１０）を設けるクラブ体（２０）は複合材質からなり、打撃面板（１０）の裏側に接着シート（３４）によって内部プレート（２１）が接着され、後端に接着シート（３４）によってカバー（２２）が設けられることにより、クラブ体（２０）が成形される。
【００１１】
前記クラブ体（２０）の底部に気孔座（３１）を有する金属の底部プレート（３０）が設けられ、該気孔座（３１）に固定孔（３２）が形成され、該底部プレート（３０）は接着シート（３４）によってクラブ体（２０）の底部に接着される。又、前記固定孔（３２）から充気膜（４０）をクラブ体（２０）の内部に置き込ませると共に、エアバック（４０）の内部に空気を注入した後、熱プレスモールド（５０）に設置することにより、接着シート（３４）によって打撃面板（１０）とクラブ体（２０）と底部プレート（３０）とを強固に接着する。
【００１２】
前記底部プレート（３０）の固定孔（３２）に異なるウェイト部材（３３）が設けられることにより、ゴルフクラブヘッドのウェイトを調整する。
【産業上の利用可能性】
【００１３】
本考案のゴルフクラブヘッドは複合材によって打撃面板、クラブ体、クラブ及び底部プレートが製造されると共に、打撃面板の裏側に複合材の内部プレートが設けられるより、スイートポットを拡大すると共に、ゴルフクラブヘッドのウェイトを調整しやすいことを達成できる。
【図面の簡単な説明】
【００１４】
【図１】本考案に係るゴルフクラブヘッドの内部構造を示す平面図である。
【図２】本考案に係るゴルフクラブヘッドの分解断面図である。
【図３】本考案に係るゴルフクラブヘッドの組立状態を示す断面図である。
【図４】本考案に係るゴルフクラブヘッドの他の組立状態を示す断面図である。
【図５】本考案に係るゴルフクラブヘッドの断面図である。
【符号の説明】
【００１５】
１０　　　　打撃面板
１１　　　　ホーゼル
１２　　　　周縁部
２０　　　　クラブ体
２１　　　　内部プレート
２２　　　　カバー
３０　　　　底部プレート
３１　　　　気孔座
３２　　　　固定孔
３３　　　　ウェイト部材
３４　　　　粘着シート
４０　　　　充気膜
５０　　　　熱プレスモールド
【図１】
0003099571.tif 000003
【図２】
0003099571.tif 000004
【図３】
0003099571.tif 000005
【図４】
0003099571.tif 000006
【図５】
0003099571.tif 000007